(57)【要約】【課題】  簡便な構成で、容易に支持脚の高さを調整することができる支持脚取付構造を提供する。【解決手段】  支持脚を筐体にネジで取り付ける支持脚取付構造であって、該支持脚が、該ネジが挿通される挿通部と、該支持脚の上部に、該挿通部を中心とする同心円上に複数の第１の凸部とを有し；該筐体が、該ネジを螺合するネジ取付孔が規定される、変位可能な支持脚取付部と、弾性を有し、該支持脚取付部を支持し、該支持脚取付部が該筐体の底面に対して垂直な変位方向を規定する複数の支持部と、該第１の凸部と圧接し、該挿通部を中心とする円周方向における圧接位置によって該圧接に対する応力が変化する複数の弾性部とを有し；該支持脚を該支持脚取付部に取り付けた後、該支持脚を該挿通部を中心に該筐体に対して相対的に回動させることによって該支持脚が該変位方向に変位する。【選択図】  図４
2008078336.tif 000002
【特許請求の範囲】
【請求項１】
支持脚を筐体にネジで取り付ける支持脚取付構造であって、
該支持脚が、
該ネジが挿通される挿通部と、
該支持脚の上部に、該挿通部を中心とする同心円上に複数の第１の凸部とを有し；
該筐体が、
該ネジを螺合するネジ取付孔が規定される、変位可能な支持脚取付部と、
弾性を有し、該支持脚取付部を支持し、該支持脚取付部が該筐体の底面に対して垂直な変位方向を規定する複数の支持部と、
該第１の凸部と圧接し、該挿通部を中心とする円周方向における圧接位置によって該圧接に対する応力が変化する複数の弾性部とを有し；
該支持脚を該支持脚取付部に取り付けた後、該支持脚を該挿通部を中心に該筐体に対して相対的に回動させることによって該支持脚が該変位方向に変位する、支持脚取付構造。
【請求項２】
前記支持部が連接部を有し；
前記弾性部が前記第１の凸部と圧接する圧接部を有し；
該連接部と該圧接部とが、接合されて、前記ネジ取付孔を中心とする円弧状に形成され、
該連接部と該圧接部との接合部と、前記筐体とが、第１の接続部によって接続され、
該連接部と支持脚取付部とが、第２の接続部によって接続されることによって、
前記支持部と前記弾性部とが一体とされたアーム部が成形される、請求項１に記載の支持脚取付構造。
【請求項３】
前記筐体が底面にネジ取付孔を中心とする同一円周上に複数の開口部を有し；
該開口部が、
ネジ取付孔を中心とする弧状の外側スリットおよび内側スリットと、該外側スリットの中間部分と該内側スリットの一端とを接続する接続スリットとを含み；
複数の該内側スリットによって前記支持脚取付部が形成され、
第１の該開口部の内側スリットと該第１の開口部に隣接する第２の開口部の内側スリットとの間に前記第２の接続部が形成され、
該第１の開口部の内側スリットと該第２の該開口部の外側スリットとの間に前記連接部が形成され、
該第１の開口部の内側スリットと該第１の開口部の外側スリットとの間に前記圧接部が形成され、
該第１の開口部の外側スリットと該第２の開口部の外側スリットとの間に前記第１の接続部が形成される、請求項２に記載の支持脚取付構造。
【請求項４】
前記支持脚が前記上部に１または複数の第２の凸部をさらに有し、
前記外側スリットが、該第２の凸部が配置されて前記挿通部を中心に回動し、前記第１の凸部が前記弾性部との圧接を保つように該第２の凸部の回動範囲を規制する回動規制部を含む、請求項３に記載の支持脚取付構造。
【発明の詳細な説明】
【技術分野】
【０００１】
本発明は、電子機器などの筐体の底面に取り付けられる支持脚の取り付け構造に関する。
【背景技術】
【０００２】
従来、電子機器は、設置面からの振動が電子機器本体に直接伝わることを防ぐためや、電子機器の放熱性を高めるために、筐体の底面に複数の支持脚が取り付けられる。しかし、このように複数の支持脚によって筐体を支持する電子機器は、筐体の部品の歪みや組立作業のばらつきが原因で、複数の支持脚が均一に設置面と接地せず、設置時にがたつきが生じるという問題がある。そこで、部品毎の寸法精度を向上させたり、組立作業治具などを利用したりする方法があるが、設置面が平面で無ければ、結局電子機器ががたつくという問題がある。そこで、これらの問題を解決するために、例えば下記特許文献１のように、支持脚が高さを調整するためのネジ構造を有し、電子機器を設置する際、そのネジ構造の螺合度合いを調整し、各支持脚の高さを調整することによって、設置時に生じるがたつきを防止する方法を利用することができる。しかし、この方法は、支持脚にはネジ構造を有する部品が必要であり、コストアップになってしまうという問題がある。
【０００３】
【特許文献１】特開平０９−１４０４８７号公報
【発明の開示】
【発明が解決しようとする課題】
【０００４】
本発明は、上記の従来技術が有する問題を解決するためになされたものであり、その目的は、簡便かつ安価な構成で、容易に支持脚の高さを調整することができる支持脚取付構造を提供することにある。
【課題を解決するための手段】
【０００５】
本発明の好ましい実施形態による支持脚取付構造は、支持脚を筐体にネジで取り付ける支持脚取付構造であって、該支持脚が、該ネジが挿通される挿通部と、該支持脚の上部に、該挿通部を中心とする同心円上に複数の第１の凸部とを有し；該筐体が、該ネジを螺合するネジ取付孔が規定される、変位可能な支持脚取付部と、弾性を有し、該支持脚取付部を支持し、該支持脚取付部が該筐体の底面に対して垂直な変位方向を規定する複数の支持部と、該第１の凸部と圧接し、該挿通部を中心とする円周方向における圧接位置によって該圧接に対する応力が変化する複数の弾性部とを有し；該支持脚を該支持脚取付部に取り付けた後、該支持脚を回動させることによって該支持脚が該変位方向に変位する。
【０００６】
上記のように構成される支持脚取付構造は、支持脚を支持脚取付部にネジによって取り付けた後、支持脚を回動させると、挿通部を中心とする円周方向における、第１の凸部と弾性部との圧接位置が変わることによって、第１の凸部と圧接する弾性部の応力が変化する。それによって、支持脚の、筐体底面に対して垂直方向の変位量を変化させることができる。その結果、簡便かつ安価な構成で、容易に支持脚の高さを調整することができる。従って、部品寸法にばらつきがあったり、設置面にガタツキがある場合でも、筐体のガタツキを防止することができる。さらには、弾性部によって、設置面から伝わる振動ノイズを軽減することができる。
【０００７】
さらに好ましい実施形態においては、前記支持部が連接部を有し；前記弾性部が前記第１の凸部と圧接する圧接部を有し；該連接部と該圧接部とが、接合されて、前記ネジ取付孔を中心とする円弧状に形成され、該連接部と該圧接部との接合部と、前記筐体とが、第１の接続部によって接続され、該連接部と支持脚取付部とが、第２の接続部によって接続されることによって、前記支持部と前記弾性部とが一体とされたアーム部が成形される。
【０００８】
上記のように支持部と弾性部とが一体成形されることにより、より簡便な構成で支持脚の高さを調整することができる。
【０００９】
さらに好ましい実施形態においては、前記筐体が底面にネジ取付孔を中心とする同心円上に複数の開口部を有し；該開口部が、ネジ取付孔を中心とする弧状の外側スリットおよび内側スリットと、該外側スリットの中間部分と該内側スリットの一端とを接続する接続スリットとを含み；複数の該内側スリットによって前記支持脚取付部が形成され、第１の該開口部の内側スリットと該第１の開口部に隣接する第２の開口部の内側スリットとの間に前記第２の接続部が形成され、該第１の開口部の内側スリットと該第２の該開口部の外側スリットとの間に前記連接部が形成され、該第１の開口部の内側スリットと該第１の開口部の外側スリットとの間に前記圧接部が形成され、該第１の開口部の外側スリットと該第２の開口部の外側スリットとの間に前記第１の接続部が形成される。
【００１０】
上記のように構成されることにより、筐体、開口部、支持脚取付部、アーム部（支持部および弾性部）を、筐体をプレス成形する際に一度に成形することができ、安価に製造できる支持脚取付構造を提供することができる。
【００１１】
さらに好ましい実施形態においては、前記支持脚が前記上部に１または複数の第２の凸部をさらに有し、前記外側スリットが、該第２の凸部が配置されて前記挿通部を中心に回動し、前記第１の凸部が前記弾性部との圧接を保つように該第２の凸部の回動範囲を規制する回動規制部を含む。
【００１２】
回動規制部によって、第１の凸部が接合部との圧接を保って支持脚を回動することができる。また、回り止めとなり、筐体から支持脚が外れてしまうことを防止することができる。さらには、支持脚を支持脚取付部に取り付ける際に、第２の凸部が回動規制部に挿入されることによって、筐体底面に対して支持脚を位置決めすることができる。
【発明の効果】
【００１３】
本発明の支持脚取付構造によれば、簡便かつ安価な構成で、容易に支持脚の高さを調整することができる。
【発明を実施するための最良の形態】
【００１４】
以下、本発明の好ましい実施形態による支持脚取付構造ついて、図面を参照して具体的に説明するが、本発明はこれらの実施形態には限定されない。図中同一又は相当部分には同一符号を付してその説明を援用する。
【００１５】
図１Ａは、本発明の好ましい実施形態による支持脚取付構造を構成する筐体１００の底面１１０を筐体１００内から見た場合の平面図である。図１Ｂは、支持脚を上部２４０（筐体１００と面する側）から見た平面図である。図１Ｃは、支持脚を真横（図１Ｂ中の矢印の方向）から見たときの平面図である。なお、図１Ａ中の斜線部は開口していることを表している。
【００１６】
本発明に係る支持脚取付構造は、筐体１００、支持脚２００、ネジ（図１Ａ〜Ｃ中には図示せず）を有する。支持脚２００は、ネジによって筐体１００に取り付けられる。
【００１７】
支持脚２００は、底部２５０および円筒状の周壁２６０に囲まれる中空部２８０を有する有底円柱形状を有している。言い換えると、円柱軸方向の断面が略コの字型の凹形状である。また、支持脚２００は挿通部２１０を有する。挿通部２１０は、支持脚２００の中央に規定され、支持脚２００を筐体１００に取り付ける際に、ネジが挿通される。挿通部２１０は、略円柱形状であり、支持脚２００の底部２５０からネジを挿通し、支持脚２００を筐体１００に取り付ける。
【００１８】
さらに支持脚２００は、上部２４０側（支持脚２００の筐体１００と面する側）に挿通部２１０を中心として同心円上に複数の高さ調整凸部２２０を有する。具体的には、挿通部２１０を中心として底部２５０から中空部２８０へ突出する円筒部２７０を有し、この円筒部２７０の上部２７１に、高さ調整凸部２２０ａ〜２２０ｃが規定される。さらに支持脚２００は、上部２４０側に挿通部２１０を中心として同心円上に複数の回転止め凸部２３０を有する。具体的には、３つの回転止め凸部２３０ａ〜２３０ｃが、周壁２６０の上部２６１側に規定される。なお、高さ調整凸部２２０および回転止め凸部２３０は、先端が略半球状に形成された円柱である。また、回転止め凸部２３０は少なくとも１つあれば良い。
【００１９】
筐体１００は、底面１１０の四隅にそれぞれ変位可能な支持脚取付部１３０を有する。支持脚取付部１３０は、該ネジを螺合するネジ取付孔１３１が規定されており、ネジにより支持脚２００が取り付けられる。そして、支持脚取付部１３０は、複数の支持部１６１（本実施例では３つの支持部１６１ａ〜１６１ｃ）によって支持脚取付部１３０と底面１１０とが接続されている（言い換えると、支持脚１６１によって支持脚取付部１３０が支持される）。支持部１６１ａ〜１６１ｃは、弾性を有し、支持脚取付孔１３０に取り付けられる支持脚２００が筐体１００の底面１１０に対して垂直方向の変位を可能にする。さらに、筐体１００は、支持脚２００の高さ調整凸部２２０と圧接し、挿通部２１０を中心とする円周方向における圧接位置によって、その圧接に対する応力が変化する複数の弾性部とを有する。本実施例では、筐体１００が弾性部１６３ａ〜１６３ｃを有する（図１Ａには、後述する、支持部１６１と弾性部１６３とが一体成形されたアーム部１６０として示している）。支持脚取付部１３０に支持脚２００を取り付けた際、この弾性部１６３と支持脚２００の高さ調整凸部２２０とが圧接し、弾性部１６３による弾性力によって、支持脚２００が支持部１６１によって規定される方向（筐体１００の底面１１０に対して垂直方向）に変位することができる。なお、弾性部１６３おける圧接位置によって、圧接に対する応力が変化し、支持脚２００の変位量が決まる。
【００２０】
本実施例では、図１Ａに示すように、支持部１６１と弾性部１６３とが一体化されたアーム部１６０を形成し、アーム部１６０ａ〜１６０ｃが支持脚取付部１３０と開口部１２０の外周１２１との間に隣接して配置される。具体的には、支持部１６１が連接部１６２を有し、弾性部１６３が高さ調整凸部２２０と圧接する圧接部１６４を有し、連接部１６２と圧接部１６４とが、接合されて、挿通部２１０を中心として円弧状に形成される。そして、連接部１６２と圧接部１６４との接合部１６５と、開口部１２０の外周１２１とが、第１の接続部１６６によって接続される。さらに、連接部１６２と支持脚取付部１３０とが、第２の接続部１６７によって接続される。その結果、支持部１６１と弾性部１６３とが一体とされたアーム部１６０が成形される。言い換えると、支持部１６１は、連接部１６２と、連接部１６２の一端と開口部１２０の外周１２１とを接続する第１の接続部１６６と、連接部１６２の他端部と支持脚取付部１３０とを接続する第２の接続部１６７とを有し、連接部１６２はネジ取付孔１３１を中心として円弧状に形成される。そして、さらに連接部１６２の第１の接続部１６６側からネジ取付孔１３１を中心として円弧状に圧接部１６４が形成される。なお、筐体１００に支持脚２００を取り付けた際、支持脚２００の高さ調整凸部２２０は、圧接部１６４と圧接する。
【００２１】
さらに、筐体１００は、底面１１０にネジ取付孔１３１を中心とする同心円上に複数の開口部１２０（本実施例では３つの開口部１２０ａ〜１２０ｃ）を有する。開口部１２０は、図１Ａに示すように、ネジ取付孔１３１を中心とする弧状の外側スリット１２１および内側スリット１２２と、外側スリット１２１の中間部分と内側スリット１２２の一端とを接続する接続スリット１２３とを含む。支持脚取付部１３０は、開口部１２０ａ〜１２０ｃの内側スリット１２２ａ〜１２２ｃによって形成される。第２の接続部１６７ａは、開口部１２０ａの内側スリット１２２ａと開口部１２０ａに隣接する開口部１２０ｂの内側スリット１２２ｂとの間に形成される。連接部１６２ａは、開口部１２０ａの内側スリット１２２ａと開口部１２０ｂの外側スリット１２１ａとの間に形成される。圧接部１６４ａは、開口部１２０ａの内側スリット１２２ａと外側スリット１２１ａとの間に形成される。第１の接続部１６６は、開口部１２０ａの外側スリット１２１ａと開口部１２０ｂの外側スリット１２１ｂとの間に形成される。なお、第２の接続部１６７ｂ、１６７ｃ、連接部１６２ｂ、１６２ｃ、圧接部１６４ｂ、１６４ｃ、第１の接続部１６６ｂ、１６６ｃも同様に、隣接する開口部１２０ａ〜１２０ｃによって形成される。また、各アーム部１６０ａ〜１６０ｃは接続スリット１２３ａ〜１２３ｃを挟んで隣接している。具体的には、例えばアーム部１６０ａの弾性部１６４とアーム部１６０ｂの支持部１６２ｂとは接続スリット１２３ａを挟んで隣接している。
【００２２】
外側スリット１２１は、回転止め凸部２３０が配置されて挿通部２１０を中心に回動し、高さ調整凸部２２０が弾性部１６３との圧接を保つように該第２の凸部の回動範囲を規制する回動規制部１２４を含む。具体的には、開口部１２０ａの回動規制部１２４ａは、外側スリット１２１ａにおいて、接続スリット１２３ａが接続されている部分を基準にして、アーム部１６０ａの圧接部１６４ａ側のスリットであり、その幅が回転止め凸部２３０ａの直径以上である。また、外側スリット１２１ａの回動規制部１２４ａを除く部分（接続スリット１２３ａよりもアーム部１０６ｂの連接部１６２ｂ側の部分）の幅は、回転止め凸部２３０ａの直径よりも小さく、回転止め凸部２３０ａが進入できない幅に規定されている。。従って、回動規制部１２４ａに配置された回転止め凸部２３０ａは、回動範囲を回動規制部１２４ａ内に規制される。開口部１２０ｂ、１２０ｃにおける回動規制部１２４ｂ、１２４ｃも同様である。さらに、支持脚２００を支持脚取付部１３０に取り付ける際に、回転止め凸部２３０ａ〜２３０ｃが回動規制部１２４ａ〜１２４ｃに挿入されることによって、筐体１００の底面１１０に対して支持脚２００を位置決めすることができる。
【００２３】
以下、図２〜図５を参照して筐体１００に支持脚２００を取り付け、支持脚２００の高さを調整する工程に沿って支持脚取付構造を説明する。図２〜図５において、（ａ）は筐体１００の内側から見たときの支持脚取付構造の平面図であり、（ｂ）は図（ａ）中軸Ｂ−Ｂ’のＢ’側から見た際の支持脚取付構造の平面図であり、（ｃ）は（ａ）中の軸Ｂ−Ｂ’における支持脚取付構造の断面図である。以下、筐体１００におけるアーム部１６０ａおよび開口部１２０ａと、支持脚２００が有する高さ調整凸部２２０ａおよび回転止め凸部２３０ａとを中心に支持脚取付構造を説明するが、アーム部１６０ｂ、１６０ｃ、開口部１２０ｂ、１２０ｃ、高さ調整凸部２２０ｂ、２２０ｃ、回転止め凸部２３０ｂ、２３０ｃも同様の作用効果を奏す。なお、図２〜５においては、支持脚２００を基準としており、筐体１００が回転しているように示しているが、支持脚２００の高さ調整の際には支持脚２００を筐体１００の底面１１０に対して相対的に回転させる。
【００２４】
まず、筐体１００に支持脚２００を取り付ける工程を説明する。
【００２５】
図２は、本発明の好ましい実施形態において、支持脚２００を筐体１００に取り付けられた状態の支持脚取付構造を示す図である（ネジは図示せず）。まず、ネジを、挿通部２１０に挿通しネジ取付孔１３１に螺合させて支持脚２００を筐体１００に取り付ける。このとき、図２（ａ）に示すように、回転止め凸部２３０ａが、回動規制部１２４ａにおいて、接続スリット１２３ａが接続されている部分側に配置された状態である。高さ調整凸部２２０ａは、圧接部１６４ａの一端部１６８ａと圧接し、圧接部１６４ａの図２（ａ）中の斜線部分が接合部１６５ａを支点に筐体１００の内側へ曲がり、圧接部１６４ａが反り返る。このとき、高さ調整凸部２２０ａが圧接部１６４ａを押す力が、その圧接に対する圧接部１６４ａの応力よりも大きい。また、図２（ｂ）および（ｃ）に示すように、筐体１００の底面１１０と、支持脚２００の底部２４０との距離が最小である。すなわち支持脚２００の高さが最小である。なお、支持脚２００を筐体１００に取り付けた際に、以上のような状態になるように、高さ調整凸部２２０ａと回転止め凸部２３０ａとが支持脚２００に規定される。また、回転止め凸部２３０ａ〜２３０ｃがそれぞれ回動規制部１２４ａ〜１２４ｃに配置されるように、支持脚２００を筐体１００に取り付ければ、筐体１００に対する支持脚２００の位置決めの役割を果たす。
【００２６】
次に、支持脚２００の高さを調整する工程を説明する。
【００２７】
図３は、本発明の好ましい実施形態において、支持脚２００を支持脚取付部１３０に取り付けた後、高さ調整するために支持脚２００を回転させ始めたときの支持脚取付構造の図である。支持脚２００をネジによって筐体１００に取り付けた後、支持脚２００を、挿通部２１０を中心に、筐体１００の底面１１０に対して相対的に回動させる。具体的には、支持脚２００を、反時計回り（筐体１００の内側から見た場合。以下同様）に回転させる。高さ調整凸部２２０ａが接合部１６５ａに近づくことによって、圧接部１６４ａの図３（ａ）中の斜線部分が筐体１００の内側へ曲がり、圧接部１６４ａがより大きく反り返る。このときはまだ、高さ調整凸部２２０ａが圧接部１６４ａを押す力が、その圧接に対する圧接部１６４ａの応力よりも大きい。また、図３（ｂ）および（ｃ）に示すように、筐体１００の底面１１０と、支持脚２００の底部２５０との距離が最小である。すなわち支持脚２００の高さはまだ最小である。なお、支持脚２００はネジによって筐体１００に固定されているが、支持脚２００を回転させる方向がネジの螺合が緩む方向であるので、支持脚２００を回転させることができる。このとき、支持脚２００を反時計回りに回しても、支持脚２００はネジによって十分筐体１００に固定された状態を保つ。
【００２８】
図４は、本発明の好ましい実施形態において、支持脚２００をさらに回転させたときの支持脚取付構造の図である。支持脚２００をさらに回転させ、高さ調整凸部２２０ａがより接合部１６５ａに近づいたとき、高さ調整凸部２２０ａが圧接部１６４ａを押す力よりも、圧接に対する圧接部１６４ａの応力の方が大きくなり、高さ調整凸部２２０ａが筐体１００の外側方向に押される。その結果、支持脚２００の上部２４０が筐体１００の底面１１０から離れはじめる。このとき、連接部１６２ａの図４（ａ）中の斜線部分が接合部１６５ａを支点に筐体１００の外側に曲がり、連接部１６２ａが反り返った状態になる。従って、図４（ｂ）および（ｃ）に示すように、筐体１００の底面１１０と支持脚２００の上部２４０との間にスペースが生じ、支持脚２００の底部２５０から筐体１００の底面１１０までの距離が大きくなる、すなわち支持脚２００の高さが大きくなる。
【００２９】
図５は、本発明の好ましい実施形態において、支持脚２００をさらに回転させ、回転止め凸部２３０ａが回動規制部１２４ａの、第１の接続部１６６ａ側に位置したときの支持脚取付構造の図である。支持脚２００をさらに回転させ、回転止め凸部２３０ａが回動規制部１２４ａの、第１の接続部１６６ａ側に位置したとき、高さ調整凸部２２０ａが、接合部１６５ａに位置し、高さ調整凸部２２０ａが筐体１００の外側方向に押される力が最大になり、支持脚２００の上部２４０が筐体１００の底面１１０から離れる距離も最大になる。それに伴い、圧接部１６４ａの図５（ｂ）中の斜線部分が筐体１００の外側により大きく反り返る。従って、図５（ｂ）および（ｃ）に示すように、筐体１００の底面１１０と支持脚２００の上部２４０との間にスペースが大きくなり、支持脚２００の底部２５０から筐体１００の底面１１０までの距離が最大になる、すなわち支持脚２００の高さが最大になる。
【００３０】
以上の工程により支持脚２００の高さを高くすることができる。また、支持脚２００の高さを元に戻す場合は、支持脚２００を筐体１００の内部から見て時計回りに回せば良い。
【００３１】
以上、本発明に係る支持脚取付構造は、支持脚を筐体にネジで取り付ける支持脚取付構造であって、該支持脚が、該ネジが挿通される挿通部と、該支持脚の上部に、該挿通部を中心とする同心円上に複数の第１の凸部とを有し；該筐体が、該ネジを螺合するネジ取付孔が規定される、変位可能な支持脚取付部と、弾性を有し、該支持脚取付部を支持し、該支持脚取付部が該筐体の底面に対して垂直な変位方向を規定する複数の支持部と、該第１の凸部と圧接し、該挿通部を中心とする円周方向における圧接位置によって該圧接に対する応力が変化する複数の弾性部とを有し；該支持脚を該支持脚取付部に取り付けた後、該支持脚を回動させることによって該支持脚が該変位方向に変位する。このように構成される支持脚取付構造は、支持脚を支持脚取付部にネジによって取り付けた後、支持脚を回動させると、挿通部を中心とする円周方向における、第１の凸部と弾性部との圧接位置が変わることによって、第１の凸部と圧接する弾性部の応力が変化し、筐体底面に対する支持脚の変位量を変化させることができる。その結果、簡便かつ安価な構成で、容易に支持脚の高さを調整することができる。従って、部品寸法にばらつきがあったり、設置面にガタツキがある場合でも、筐体のガタツキを防止することができる。さらには、弾性部によって、設置面から伝わる振動ノイズを軽減することができる。
【００３２】
また、本実施例において、支持脚を、底部および円筒状の周壁に囲まれる中空部を有する有底円柱形状としたが、支持脚が、円柱状で、高さ調整凸部および回転止め凸部が、支持脚の上部側に、挿通部を中心として同心円上に規定されても良い。
【００３３】
また、本実施例において、支持脚が上部に３つの高さ調整凸部を有するようにしたがその限りではない。好ましくは、３つ以上の高さ調整凸部を有し、さらに好ましくは、３つの高さ調整凸部を有する。３点で支持することによって、ガタツキをより抑えることができるからである。
【００３４】
また、本実施例において、高さ調整凸部が、先端が略半球状に形成された円柱としたが、その限りではない。弾性部を圧接できる形状であれば良い。
【００３５】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【産業上の利用可能性】
【００３６】
本発明の電子機器などの筐体における支持脚取付構造は、あらゆる用途の電子機器などに用いられ得る。
【図面の簡単な説明】
【００３７】
【図１Ａ】本発明の好ましい実施形態による筐体の底面を筐体内から見た場合の平面図である。
【図１Ｂ】本発明の好ましい実施形態による支持脚を上部から見た平面図である。
【図１Ｃ】本発明の好ましい実施形態による支持脚を真横から見たときの平面図である。
【図２】本発明の好ましい実施形態による支持脚取付構造において、支持脚を筐体に取り付けられた状態の支持脚取付構造を示す図である。
【図３】本発明の好ましい実施形態において、支持脚を支持脚取付部に取り付けた後、高さ調整するために支持脚を回転させ始めたときの支持脚取付構造の図である。
【図４】本発明の好ましい実施形態において、支持脚をさらに回転させたときの支持脚取付構造の図である。
【図５】本発明の好ましい実施形態において、支持脚をさらに回転させ、回転止め凸部が回動規制部の、第１の接続部側に位置したときの支持脚取付構造の図である。
【符号の説明】
【００３８】
１００  筐体
１１０  底面
１２０  開口部
１２１  外側スリット
１２２  内側スリット
１２３  接続スリット
１２４  回動規制部
１３０  支持脚取付部
１３１  ネジ取付孔
１６０  アーム部
１６１  支持部
１６２  連接部
１６３  弾性部
１６４  圧接部
１６５  接合部
１６６  第１の接続部
１６７  第２の接続部
１６８  一端部
２００  支持脚
２１０  挿通部
２２０  高さ調整凸部
２３０  回転止め凸部
２４０  上部
２５０  底部
２６０  周壁
２６１  上部
２７０  円筒部
２７１  上部
２８０  中空部
【図１Ａ】
2008078336.tif 000003
【図１Ｂ】
2008078336.tif 000004
【図１Ｃ】
2008078336.tif 000005
【図２】
2008078336.tif 000006
【図３】
2008078336.tif 000007
【図４】
2008078336.tif 000008
【図５】
2008078336.tif 000009